(57)【特許請求の範囲】
【請求項１】
山形材（３）を備え、該山形材の一方の脚片（６）が保持体（２）内に引出し可能かつ回動可能に支承されており、かつ山形材の他方の自由脚片（１２）が、前記山形材（３）を引出して回動した際に１つの立脚柱を形成する形式の、壁形旋回ベッド用の脚金具（１）において、
保持体（２）内に設けられた案内切欠部（１０）と、該案内切欠部内をガイドされる山形材（３）の案内ピン（１１）とを有する強制ガイド機構が設けられており、前記山形材（３）が、引出されかつ回動された位置においてロック可能であることを特徴とする、壁形旋回ベッド用の脚金具。
【請求項２】
案内切欠部（１０）が、引出し方向（４）に延在する第１の案内区分（１４）を有している、請求項１記載の脚金具。
【請求項３】
第１の案内区分（１４）に、引出し方向（４）に対して斜め方向又は直角な横方向に延びる第２の案内区分（１５）が前記引出し方向で（４）で接続している、請求項２記載の脚金具。
【請求項４】
第１又は第２の案内区分（１４，１５）に、引出し方向（４）とは逆方向に延びる第３の案内区分（１６）が接続している、請求項２又は３記載の脚金具。
【請求項５】
山形材（３）の一方の脚片（６）が、保持体（２）の互いに向き合っている２つの側壁（７）内に支承されている、請求項１から４までのいずれか１項記載の脚金具。
【請求項６】
案内切欠部（１０）が、山形材（３）の一方の脚片（６）を少なくとも部分的に覆う保持体（２）の壁（１３）内に形成されている、請求項１から５までのいずれか１項記載の脚金具。
【請求項７】
保持体（２）の壁（１３）が、山形材（３）の一方の脚片（６）を屋根形状に覆っている、請求項６記載の脚金具。
【請求項８】
保持体（２）が、扁平な板金断裁片（２１）に縁曲げ成形加工を施すことによって形成されている、請求項１から７までのいずれか１項記載の脚金具。
【請求項９】
扁平な板金断裁片（２１）が、案内切欠部（１０）を除けば前記板金断裁片の縦中心線を基準として鏡面対称である、請求項８記載の脚金具。
【発明の詳細な説明】
【０００１】
【発明の属する技術分野】
本発明は、山形材を備え、該山形材の一方の脚片が保持体内に引出し可能かつ回動可能に支承されており、かつ山形材の他方の自由脚片が、前記山形材を引出して回動した際に１つの立脚柱を形成する形式の、特に壁形旋回ベッド用の脚金具に関する。
【０００２】
【従来の技術】
壁形旋回ベッドでは脚金具は概ねベッドボックスの正面板の内側に固定されているので、ベッドを上向旋回した場合、脚金具は正面板によって隠蔽されている。ベッドを下向旋回した場合に、使用者が脚金具の立脚柱を手操作で出発位置から立脚位置へ引出すことによって始めてベッドには脚が形成される。
【０００３】
公知の脚金具では立脚柱は、直角な山形材の自由脚片によって形成され、該自由脚片は保持体内において正面板の前縁の前まで引出され、次いで立脚位置へ９０゜回動することができる。この場合前記保持体は四角管片であり、該四角管片の内部には、前記山形材の、円形の外側横断面を有する他方の脚片が引出し可能かつ回動可能に支承されている。立脚柱を形成する山形材の自由脚片が正面板の前縁を超えて引出されていない限り、正面板は山形材の回動を阻止する。該山形材は保持体内に回動自在に支承されているので、山形材の引出し・回動時に自由脚片が正面板又はベッドボックスを擦過して、これらの部材に擦過傷を与える恐れがある。
【０００４】
【発明が解決しようとする課題】
そこで本発明の課題は、冒頭で述べた形式の脚金具において、山形材の自由脚片が立脚位置への運動によって惹起するベッド正面板又はベッドボックスの損傷を防止することである。
【０００５】
【課題を解決するための手段】
前記課題を解決するための本発明の構成手段は、保持体内に設けられた案内切欠部と、該案内切欠部内をガイドされる山形材の案内ピンとを有する強制ガイド機構が設けられており、前記山形材が、引出されかつ回動された位置においてロック可能である点にある。
【０００６】
【発明の効果】
この強制ガイド機構によって山形材は、その自由脚片がベッドの他の構成部材に損傷を与えることなく立脚位置へ回動できる場合に初めて回動することが保証される。その場合、山形材の引出し運動だけでなく山形材の回動運動も有利に強制ガイドされている。壁形旋回ベッドの場合、こうして山形材をベッドの正面板の前縁の前方にまで引出した後に初めて、立脚位置への山形材の回動が可能である。その回動時点まで山形材の自由脚片は、正面板に対して間隔をおいて保持されている。
【０００７】
山形材をその立脚位置に固定できるようにするために、特に有利な実施形態では山形材は、引出されかつ回動された位置においてロック可能である。
【０００８】
本発明の有利な実施形態では強制ガイド機構として、案内切欠部が保持体内に設けられ、かつ前記案内切欠部内をガイドされる案内ピンが山形材に設けられている。
【０００９】
本発明の前記実施形態の殊に有利な構成では、前記案内切欠部は、引出し方向に延在する第１の案内区分を有している。この第１の案内区分は、山形材の引出し運動と回動運動の作用結合を時間的に相互に断つために山形材の回転軸線に対して平行に延在するのが有利である。しかし山形材の引出しと回動を同時に行わせる１つの案内切欠部を設けることも可能である。
【００１０】
この実施形態の有利な構成では第１の案内区分には、引出し方向に対して斜め方向に、殊に有利には直角な横方向に延びる第２の案内区分が前記引出し方向でで接続しており、この第２の案内区分内で前記山形材は９０゜回動可能にガイドされている。
【００１１】
特に有利な構成では、第１又は第２の案内区分には、引出し方向とは逆方向に延びる第３の案内区分が接続しており、引出されて回動された山形材は、この第３の案内区分内へ引出し方向とは逆向きに幾分後退することができる。この後退によって、立脚位置へ回動された山形材を、立脚位置において回動不能にかつ引出し方向への引出し不能にロックすることが可能である。このような第３の案内区分が設けられている限り、第２の案内区分は山形材を強制ガイドする必要はなく、山形材の回動を可能にするだけでよい。
【００１２】
山形材の一方の脚片は、保持体の互いに向き合っている２つの側壁内に、殊に適当な軸受ブシュを介して、支承されているのが有利である。
【００１３】
本発明の特に有利な実施形態では案内切欠部は、山形材の一方の脚片を少なくとも部分的に覆う保持体のカバー壁内に形成されている。この実施形態の利点は、案内切欠部を形成するために付加的な別の部材を必要としないことである。この場合、保持体の前記カバー壁の横断面は、案内切欠部内における例えば案内ピンによる山形材のガイドを引出し方向でも回動方向でも保証するように、ガイドされる山形材脚片に調和されている。
【００１４】
縁曲げ成形又は屈曲成形によって、できるだけ僅かな製造費で前記カバー壁を製作できるようにするために、保持体の壁は山形材の一方の脚片を屋根形状に覆っている。しかし本発明では前記の一方の脚片を覆う壁を、やはり縁曲げ成形又は屈曲成形によって製作できる別の壁形状、例えば多角形又は円形の壁横断面に成形することも可能である。
【００１５】
本発明の特に有利な実施形態では保持体は、扁平な板金断裁片に縁曲げ成形を施すことによって形成されている。例えば打抜き加工及び／又はニブリング加工によって製作できる扁平な板金断裁片は、後続の縁曲げ成形又は屈曲成形によって簡単かつ低廉に後加工されて、山形材用の１つの保持体に形成することができる。
【００１６】
この場合その製造を一層単純化するために扁平な板金断裁片は、案内切欠部を除けば前記板金断裁片の縦中心線を基準として鏡面対称である。
【００１７】
本発明のその他の利点は、以下の実施例の説明並びに図面から明らかである。また前述の構成手段並びに追って説明する構成手段は本発明によれば、夫々個別に独立して、或いは任意に若干の構成手段を組合せて使用することができる。なお図面に図示して説明した諸実施形態は、これを本発明のすべてと解すべきではなく、むしろ本発明を説明するための例示的性格をもつものと解されねばならない。
【００１８】
【発明の実施の形態】
次に図面に基づいて本発明の実施例を詳説する。
【００１９】
図１及び図２において出発位置で示した脚金具１は、保持体２と、該保持体２内に支承された山形材３とを有しており、該山形材は出発位置から、矢印４で示した引出し方向及び矢印５で示した回動方向で前記出発位置から立脚位置（図示せず）へ強制ガイドされて動くことができる。
【００２０】
このために山形材３の一方の脚片６は、前記保持体２の互いに向き合っている２つの側壁７内において２つの軸受ブシュ８を介して引出し方向４及び回動方向５に運動可能に支承されている。なお前記の各軸受ブシュ８は、両側壁７にそれぞれ穿設した軸受孔９（図３参照）内に挿嵌されている。山形材３の前記運動は、この場合、前記保持体２内に設けたスロット状の案内切欠部１０によって規定されており、しかも山形材３は案内ピン１１を介して案内切欠部１０内を強制ガイドされている。山形材３の他方の自由脚片１２は、追って詳説するように、山形材３の立脚位置において脚金具１の立脚柱を形成する。
【００２１】
前記の案内切欠部１０は、一方の脚片６を屋根状に覆っている保持体３の屋根形壁１３内に形成されており、かつ３つの案内スロット区分１４，１５，１６を有している。第１の案内スロット区分１４は引出し方向４に延在し、かつ、回動方向５（つまり引出し方向４に対して直角な横方向）に向いた第２の案内スロット区分１５を経て、前記引出し方向４とは逆向きに延びる第３の案内スロット区分１６へ移行している。
【００２２】
第１の案内スロット区分１４が屋根形壁１３のほぼ全長にわたっているのに対して、第３の案内スロット区分１６は僅かな長さしか有していない。
【００２３】
脚金具１は正面板１８の内側１７に複数の固定穴１９を介して装着されており、しかも山形材３の出発位置では他方の自由脚片１２は前記内側１７に対して平行にかつ間隔をおいて延びている。立脚柱を形成するために山形材３は、その出発位置（図１）から第１の案内スロット区分１４に従って引出し方向４に引出され、しかもこの引出し運動の終期に自由脚片１２は正面板１８の前縁２０を超えて引出し方向４に張出す。次いで山形材３は、第２の案内スロット区分１５に従って回動方向５で立脚位置へ９０゜回動され、この立脚位置において、正面板１８に今や直角に被さる自由脚片１２は脚金具１の立脚柱を形成することになる。回動された山形材３を次いで引出し方向４とは逆向きに僅かな距離だけ第３の案内スロット区分１６内へ押し戻すことによって、山形材３つまり自由脚片１２は立脚位置において回動不能にかつ引出し方向４への引出し不能にロックされる。前記とは逆の順序で山形材３を動かすことによって山形材３は、その立脚位置から再び出発位置へ戻される。
【００２４】
図３において単独に図示された保持体２は、図４に示した扁平な板金断裁片２１に縁曲げ成形加工を施すことによって製作される。このために板金断裁片２１の両サイド区分２２がエッジライン２３に沿って起立成形させられて側壁７を形成し、かつ、切欠部２５を介して夫々サイド区分２２から切り離されている板金断裁片２１の中央部分２４が３本の平行なエッジライン２６に沿って起立成形させられて、一方の脚片６を覆う屋根形壁１３を形成する。板金断裁片２１の平面内に残存している２つの縦条片２７は保持体２の当接面を形成する。板金断裁片２１は、案内切欠部１０を除けば、板金断裁片の縦中心線を基準として鏡面対称である。
【図面の簡単な説明】
【図１】出発位置で示した本発明の脚金具の平面図である。
【図２】図１の矢印ＩＩの方向で見た脚金具の側面図である。
【図３】図１に示した脚金具の保持体の斜視図である。
【図４】図３に示した保持体のための扁平な板金断裁片の平面図である。
【符号の説明】
１    脚金具、  ２    保持体、  ３    山形材、  ４  引出し方向を示す矢印、  ５    回動方向を示す矢印、  ６    一方の脚片、  ７    側壁、  ８  軸受ブシュ、  ９    軸受孔、  １０    スロット状の案内切欠部、  １１  案内ピン、  １２    自由脚片、  １３    屋根形壁、  １４，１５，１６  案内スロット区分、  １７    内側、  １８    正面板、  １９    固定穴、２０    前縁、  ２１    板金断裁片、  ２２    サイド区分、  ２３    エッジライン、  ２４    中央部分、  ２５    切欠部、  ２６    エッジライン、  ２７    縦条片
【図１】
0003957881.tif 000002
【図２】
0003957881.tif 000003
【図３】
0003957881.tif 000004
【図４】
0003957881.tif 000005